(57)【特許請求の範囲】
【請求項１】
環状のヨークと、レンズを保持しヨークの内周側に配置されたレンズ支持体と、レンズ支持体の外周に固定したコイルと、ヨークに設けたマグネットと、コイルに電気的に接続されたスプリングと、スプリングに接続する端子と、筐体とを備え、スプリングは筐体とレンズ支持体との間に設けて筐体に対してレンズ支持体を光軸方向に移動自在に支持しており、端子からコイルに通電して生じる電磁力によりレンズ支持体をレンズの光軸方向に移動するレンズ駆動装置であって、スプリングは板状で光軸を横断する方向に配置してあり、端子はスプリングと別体に製造してあり且つ光軸方向に配置してあり、筐体には端子挿通部が設けてあり、筺体内に、ヨーク、レンズ支持体、コイル、マグネット及びスプリングを組み付けた後に、端子を筐体の端子挿通部に挿通してスプリングに固定してあり、端子は、スプリングとの固定側である一端よりも電源供給端子に接続する他端が筐体の内周側に位置するように屈曲してあることを特徴とするレンズ駆動装置。
【請求項２】
請求項１に記載のレンズ駆動装置を搭載したことを特徴とするカメラ。
【請求項３】
請求項２に記載のカメラを搭載したことを特徴とするカメラ付き携帯電話。
【発明の詳細な説明】
【技術分野】
【０００１】
本発明は、小型カメラに用いられるオートフォーカス用のレンズ駆動装置の製造方法、その方法により製造したレンズ駆動装置、レンズ駆動装置を備えたカメラ及びカメラ付き携帯電話に関する。
【背景技術】
【０００２】
特許文献１には、筐体とレンズ支持体との間に設けたスプリングが、筐体に対してレンズ支持体を光軸方向に移動自在に支持し、スプリングはコイルに電気的に接続されており、スプリングに設けた端子から、スプリングを介在してコイルに通電することが開示されている。
【０００３】
特許文献１のスプリングは、光軸方向に折り曲げた端子を一体に備えており、端子が一体に形成されたスプリングを他の構成部品と共に筐体に組み付けてレンズ駆動装置を製造している。
【０００４】
【特許文献１】特開２００７−１４３２１０号公報
【発明の開示】
【発明が解決しようとする課題】
【０００５】
しかし、上述したレンズ駆動装置の製造方法では、スプリングを折り曲げて端子を形成しているため、スプリングが嵩張り、スプリングの搬送や工場内での移送がし難いと共に、搬送や移送時にスプリングや端子が損傷し易いという問題がある。
【０００６】
また、スプリングの製造時には、端子部分に曲げ加工を施すので、加工時にスプリングが変形し易いという問題がある。
【０００７】
スプリングの形状に基づいて端子の曲げ位置に制約が生じるため、スプリングの設計及び端子配置の自由度が制限されるという問題がある。
【０００８】
スプリングと端子とが一体形成されているため、スプリングのばね特性等の制約によりスプリングの厚みを変更した場合に、端子の厚みも同じ厚みに制限されるから、例えば、スプリングの厚みを薄くした場合に、端子の厚みも薄くなってしまい、機能に応じた厚みの設計ができないという問題がある。
【０００９】
そこで、本発明は、レンズ駆動装置に組み付けるスプリングの搬送や移送がし易く、スプリングの変形や損傷を防止できると共に、設計の自由度を高めることができるレンズ駆動装置の製造方法、レンズ駆動装置、カメラ及びカメラ付き携帯電話の提供を目的とする。
【課題を解決するための手段】
【００１０】
請求項１に記載の発明は、環状のヨークと、レンズを保持しヨークの内周側に配置されたレンズ支持体と、レンズ支持体の外周に固定したコイルと、ヨークに設けたマグネットと、コイルに電気的に接続されたスプリングと、スプリングに接続する端子と、筐体とを備え、スプリングは筐体とレンズ支持体との間に設けて筐体に対してレンズ支持体を光軸方向に移動自在に支持しており、端子からコイルに通電して生じる電磁力によりレンズ支持体をレンズの光軸方向に移動するレンズ駆動装置であって、スプリングは板状で光軸を横断する方向に配置してあり、端子はスプリングと別体に製造してあり且つ光軸方向に配置し、筐体には端子挿通部が設けてあり、筺体内に、ヨーク、レンズ支持体、コイル、マグネット及びスプリングを組み付けた後に、端子を筐体の端子挿通部に挿通してスプリングに固定してあり、端子は、スプリングとの固定側である一端よりも電源供給端子に接続する他端が筐体の内周側に位置するように屈曲してあることを特徴とするレンズ駆動装置である。
【００１１】
【００１２】
【００１３】
【００１４】
【００１５】
【００１６】
【００１７】
請求項２に記載の発明は、請求項１に記載のレンズ駆動装置を搭載したことを特徴とするカメラである。
【００１８】
請求項３に記載の発明は、請求項２に記載のカメラを搭載したことを特徴とするカメラ付き携帯電話である。
【発明の効果】
【００１９】
請求項１に記載の発明によれば、端子からスプリングを介してコイルに通電するレンズ駆動装置において、スプリングに電流を供給する端子をスプリングと別に製造して、レンズ駆動装置の組み付け時又は組み付け後にスプリングに端子を接続するので、板状のスプリングと端子とが略直角を成す構成であっても、従来のようにスプリングが嵩張らず、スプリングの搬送や移送が容易にできる。
【００２０】
スプリングは、従来のように、端子部分を折り曲げて加工しないので、加工時におけるスプリングの変形や損傷を防止できる。
【００２１】
スプリングの折り曲げ加工がないから、曲げ位置による制約がないのでスプリングの設計及び端子配置の自由度が高い。
【００２２】
スプリングと、端子とは別体であるから、スプリングと端子の厚みを自由にでき、スプリングの機能に応じた厚みの設計が自由にできる。
また、モータ組立後に端子の形状や長さおよび配置を自由に選択・変更できる。
【００２３】
筐体にヨーク、レンズ支持体等の各部品と共にスプリングを組み付けた後に端子を取り付けるので、端子の取付け前に、レンズ支持部材やスプリング等の各部品に不良や不都合が生じて交換したり、組み付け直す必要が生じた場合に、端子が邪魔にならないで組み付け直すことができる。
【００２４】
端子は筐体の端子挿通部に挿通して取り付けるので、端子の取付けが筺体により案内されるから端子が取付け易い。
【００２５】
【００２６】
【００２７】
【００２８】
【００２９】
【００３０】
請求項２に記載の発明によれば、請求項１に記載の作用効果を奏するカメラを提供できる。
【００３１】
請求項３に記載の発明によれば、請求項２に記載の作用効果を奏するカメラ付き携帯電話を提供できる。
【発明を実施するための最良の形態】
【００３２】
以下に、添付図面を参照して本発明の第１実施の形態を説明する。図１は図３に示す後側スプリング（スプリング）とベース（筐体）と端子を抜き出して示す斜視図であり、図２は図１に示すスプリングとベースと端子を後側から見た斜視図であり、図３は本発明の実施の形態に係るレンズ駆動装置の分解斜視図であり、図４は端子の装着を説明する図であり、（ａ）は筐体に端子を装着する前のレンズ駆動装置の斜視図であり、（ｂ）は筐体に端子を装着した後のレンズ駆動装置の斜視図であり、（ｃ）はスプリングと端子との接続を示す断面図であり、図５は端子の装着を説明する図であり、（ａ）は図４（ａ）に示すレンズ駆動装置を後側から見た斜視図であり、（ｂ）は図４（ｂ）に示すレンズ駆動装置を後側から見た斜視図であり、図６は端子装着前のレンズ駆動装置を後側から見た平面図であり、図７はレンズ駆動装置を光軸方向で切断した断面図である。
【００３３】
第１実施の形態に係るレンズ駆動装置１は、携帯電話に組み込まれるオートフォーカスカメラのレンズ駆動装置である。このレンズ駆動装置１は、図３及び図７に示すように、環状のヨーク３と、レンズ支持体７と、前側スプリング９と、後側スプリング（スプリング）１１と、ヨーク３の後側に配置されるベース５（筐体）と、ヨーク３の前側に配置されるフレーム６とを備えており、レンズ支持体７には、外周にコイル１５が固定されている。ヨーク３と後側スプリング１１との間には絶縁体（スペーサ）１７が配置されている。このレンズ駆動装置１は、縦横が約１０ｍｍ、高さが約３．５ｍｍで非常に小さいものである。
【００３４】
ヨーク３は前側から見て外周が平面視四角形であり、内周が平面視円形になっており、外周側壁３ａと、内周側壁３ｂと、外周側壁３ａと内周側壁３ｂとを間隔をあけて連結する連結壁３ｃとからなり、外周側壁３ａと内周側壁３ｂと連結壁３ｃとで断面がコ字形状を成している。内周側壁３ｂには、後側端から前方に向けて切除部１２が形成されている。
【００３５】
ヨーク３の各角部１４において、外周側壁３ａの内周面にはマグネット１３が固定されている。マグネット１３は、角部１４のみに設けてあり、内周側壁３ｂに形成された切除部１２に対応する位置にはない。
【００３６】
レンズ支持体７は略円筒形状であり、その内周部にレンズ８（図７参照）が装着されて、ヨーク３の内周側を光軸（図７の符号Ｘ）方向に移動自在に設けられている。レンズ支持体７の外周には環状のコイル１５が装着されており、コイル１５はレンズ支持体７のコイル固定部１９に接着固定されている。
【００３７】
コイル１５はヨーク３の外周側壁３ａと内周側壁３ｂとの間に配置するが、マグネット１３がある角部１４ではマグネット１３と内周側壁３ｂとの間に位置し、レンズ支持体７と共にヨーク３内を前後方向に移動するようになっている。
【００３８】
ベース５はヨーク３の外周に位置する外壁５ａと、ヨーク３の後側（レンズの光軸方向の後側）に位置する基底部５ｂとを有しており、ベース５の基底部５ｂには後側スプリング１１の外周側部１１ｂ（後述する）が載置される。
【００３９】
ベース５の一側には、２つの端子挿通部５ｃ、５ｃが設けてある。本実施の形態では、２つの端子挿通部５ｃ、５ｃは並んで一体に形成されている。端子挿通部５ｃ、５ｃの構造については後述する。
【００４０】
前側スプリング９は環状の板ばねであり、内周側部９ａと外周側部９ｂとが設けてあり、内周側部９ａはレンズ支持体７に取り付けてあり、外周側部９ｂはヨーク３とフレーム６との間に挟持して固定されている。内周側部９ａと外周側部９ｂとは弾性変形可能な腕部９ｃにより連結してある。
【００４１】
後側スプリング１１は全体として環状の板ばねであるが、本実施の形態では、左右に分割した一方側部（ハーフ体）３０と他方側部（ハーフ体）３２とから構成されている。後側スプリング１１の各外周側部１１ｂ、１１ｂは、絶縁体（スペーサ）１７を介してベース５とヨーク３との間に挟持されており、絶縁体１７は後側スプリング１１とヨーク３との間の電気的絶縁を図っている。各内周側部１１ａ、１１ａは、レンズ支持体７の後端に取り付けてある。後側スプリング１１の各内周側部１１ａと外周側部１１ｂとは弾性変形可能な腕部１１ｃにより連結してある。
【００４２】
一方側部３０はコイル１５の一端に、他方側部３２はコイル１５の他端に、各々ハンダ付け等により電気的に接続されており、後側スプリング１１からコイル１５に通電するようになっている。
【００４３】
本実施の形態では、後側スプリング１１を構成する一方側部３０には端子３３と接続するための端子接続部２２が形成されており、他方側部３２には端子３５と接続するための端子接続部２４が形成されている。各端子接続部２２、２４は、平坦面になっている。
【００４４】
端子３３、３５は後側スプリング（スプリング）１１と別体で製造しており、レンズ駆動装置１のレンズ支持体７や前側スプリング９等の各部品を組み付けた後に、端子３３、３５は各一端（先端）３３ａ、３５ａをベース（筐体）５の端子挿通部５ｃ、５ｃに各々挿入して後側スプリング１１の端子接続部２２、２４に接着固定してある。尚、端子３３、３５の他端３３ｂ、３５ｂは、基板回路（図示せず）の電源供給端子に接続される。
【００４５】
図１に示すように、各端子３３、３５は同一形状であり、他端３３ｂ、３５ｂは一端３３ａ、３５ａよりも筺体５の内周側に位置するように、中間部３６を屈曲して形成してある。また、屈曲部には各端子３３、３５の幅を広くするように突設したストッパ３８が形成されている。
【００４６】
ここで、ベース５に設けられた端子挿通部５ｃについて説明する。端子挿通部５ｃには、光軸方向に端子の挿通孔２６が形成されており、後側スプリング１１と端子挿通部５ｃとの間は、端子３３、３５の一端３３ａ、３５ａ及び後側スプリング１１の端子接続部２２、２４を露出する露出部（空間）２８としてあり、ベース５の外側から端子３３、３５の一端３３ａ、３５ａ及び後側スプリング１１の端子接続部２２、２４が見えるようになっている。
【００４７】
また、図２に示すように、端子挿通部５ｃの光軸方向後側にはストッパ３８を受けるストッパ受け３９が形成されており、端子３３、３５の位置決めができるようにしてある。
【００４８】
フレーム６はレンズ支持体７の前側に配置されており、ヨーク３との間に前側スプリング９の外周側部９ｂを挟んで保持すると共に、ベース５に嵌合固定してベース５とフレーム６とで筐体を形成している。
【００４９】
次に、第１実施の形態に係るレンズ駆動装置１の製造、作用及び効果について説明する。レンズ駆動装置１の製造時には、図３に示すように、ベース５に、後側スプリング１１、絶縁体（スペーサ）１７、コイル１５を取り付けたレンズ支持体７、マグネット１３を固定したヨーク３、前側スプリング９及びフレーム６を組み付ける。尚、後側スプリングの一方側部３０はコイル１５の一端にはんだ付けし、他方側部３２はコイル１５の他端にはんだ付けする。
【００５０】
この組み付け状態において、後側スプリングの各端子接続部２２、２４は、図１に二点鎖線で示すように、端子挿通部５ｃの端子挿入孔２６に対向する位置に配置される。
【００５１】
次に、ベース５の端子挿通部５ｃに、光軸方向後側から、各端子３３、３５の一端（先端）３３ａ、３５ａを挿入し、各端子３３、３５のストッパ３８がストッパ受け３９に当接するまで押し込むことにより、端子３３の一端（先端）３３ａは後側スプリングの端子接続部２２に当接し、端子３５の一端（先端）３５ａは端子接続部２４に当接する。
【００５２】
そして、端子３３の一端３３ａと端子接続部２２とに導電性の熱硬化接着剤で接着し、端子３５の一端３５ａと端子接続部２４とに導電性の熱硬化接着剤で接着する。
【００５３】
本実施の形態に係るレンズ駆動装置１の駆動は、端子３３、３５からコイル１５に通電すると、コイル１５に作用する電磁力で、レンズ支持体７は前側スプリング９及び後側スプリング１１の付勢力に抗して移動し、スプリング９、１１との力の釣り合う位置で停止する。
【００５４】
本実施の形態によれば、後側スプリング１１に電流を供給する各端子３３、３５を後側スプリング（スプリング）１１と別に製造して、レンズ駆動装置の組立て時に後側スプリング１１に各端子３３、３５を接続するので、互いに直角を成すスプリング１１と端子３３、３５とを一体に製造した従来のスプリングに比較して、嵩張らないのでスプリング１１の搬送や移送を容易にでき、しかも、変形や損傷も生じ難い。
【００５５】
後側スプリング１１は、従来のように一体に形成した端子部分を折り曲げて加工しないので、加工時におけるスプリング１１の変形や損傷を防止できる。
【００５６】
後側スプリング１１は、スプリング１１の折り曲げ加工がないから、曲げ位置による制約がないのでスプリング１１の設計及び端子配置の自由度が高い。
【００５７】
後側スプリング１１は、端子３３、３５を別体としてあるから、後側スプリング１１と端子３３、３５の厚みを自由にでき、後側スプリング１１の機能や端子の機能に応じた厚みの設計が自由にできる。また、レンズ駆動装置の組み付け後に端子の形状や長さおよび配置を自由に選択・変更できる。
【００５８】
ベース（筐体）５に各部品を組み付けた後に、端子３３、３５をベース５に挿通して取り付けるので、端子３３、３５の装着前に、支持部材７や前側スプリング９、後側スプリング１１等の各部品に不良や不都合が生じて交換したり、組み付け直す必要が生じた場合に、端子３３、３５が邪魔にならないで組み付け直すことができる。端子３３、３５はベース５に挿通するので、端子をベースに沿って位置決めや案内ができるから端子３３、３５が取付け易い。
【００５９】
ベース５には、後側スプリング１１の端子接続部２２、２４と端子３３、３５との接続部分を露出する露出部２８が設けてあるので、ベース（筐体）５の外側から後側スプリング１１と端子３３、３５との接続を確認でき、製造し易く且つ接続の信頼性を高めることができる。
【００６０】
各端子３３、３５の他端３３ｂ、３５ｂは、一端３３ａ、３５ａよりも筺体５の内周側に位置するように、中間部３６を屈曲して形成してあるので、レンズ駆動装置を装着する回路基板の電源供給端子の位置をレンズ駆動装置の内側にできるので、異なる回路基板の端子接続位置に対して柔軟に対応できる。
【００６１】
本実施の形態では、後側スプリング１１を一方側部３０と他方側部３２とに分離して構成し、各一方側部３０と他方側部３２とにおける構造が不安定になり易く且つ取り扱い難いが、端子用の曲げ部分や折り部分がないので、変形や損傷が生じ難い。
【００６２】
以下に、本発明の他の実施の形態を説明するが、以下に説明する実施の形態において、上述した第１実施の形態と同一の作用効果を奏する部分には、同一の符号を付することによりその部分の詳細な説明を省略し、以下の説明では、上述した第１実施の形態と主に異なる点について説明する。
【００６３】
図８に第２実施の形態を示す。図８は本発明の第２実施の形態に係るレンズ駆動装置の後側スプリング（スプリング）１１と端子３３、３５を抜き出して示す斜視図である。
【００６４】
この第２実施の形態では、各端子３３、３５の先端（一端）には、後側スプリング１１の端子接続部２２、２４の平面に面で接触する糊代面４１を設けている。
【００６５】
この第２実施の形態によれば、後側スプリング１１と端子３３、３５との接続面積を広くとれるので、接続の信頼性を高めることができる。
【００６６】
本発明は、上述した実施の形態に限らず、本発明の要旨を逸脱しない範囲で種々変形可能である。
【００６７】
例えば、第１実施の形態において、図９に示すように、端子３３、３５の腹（面）を後側スプリング１１の各端子接続部２２、２４の端に接触させるものであっても良い。
【００６８】
後側スプリング１１を一方側部３０と他方側部３２とに分割しないで、前側スプリング９に端子３３、後側スプリング１１に端子３５を取り付けると共に、前側スプリング９及び後側スプリング１１をコイル１５に電気的に接続し、前側スプリング９とコイル１５と後側スプリングとの間に電流を流すものであってもよい。
【００６９】
端子３３、３５は、レンズ駆動装置１が搭載される基板の回路に他端３３ｂ、３５ｂを予め固定しておき、レンズ駆動装置１を基板に装着するときに、各端子３３、３５の先端３３ａ、３５ｂを筺体から露出しているスプリング１１の端子接続部２２、２４に接続するものであっても良い。
【００７０】
また、各端子３３、３５の先端３３ａ、３５ｂと、スプリング１１の端子接続部２２、２４との接続は、接着に限らず、嵌合等による接続であっても良い。
【図面の簡単な説明】
【００７１】
【図１】図３に示す後側スプリングとベース（筐体）と端子を抜き出して示す斜視図である。
【図２】図１に示す後側スプリングとベース（筐体）と端子を後側から見た斜視図である。
【図３】本発明の実施の形態に係るレンズ駆動装置の分解斜視図である。
【図４】端子の装着を説明する図であり、（ａ）は筐体に端子を装着する前のレンズ駆動装置の斜視図であり、（ｂ）は筐体に端子を装着した後のレンズ駆動装置の斜視図であり、（ｃ）は筺体の端子挿通部とその周囲部分を示す断面図である。
【図５】端子の装着を説明する図であり、（ａ）は図４（ａ）に示すレンズ駆動装置を後側から見た斜視図であり、（ｂ）は図４（ｂ）に示すレンズ駆動装置を後側から見た斜視図である。
【図６】端子装着前のレンズ駆動装置を後側から見た平面図である。
【図７】レンズ駆動装置を光軸方向で切断した断面図である。
【図８】第２実施の形態に係るレンズ駆動装置の後側スプリングと端子を抜き出して示す斜視図である。
【図９】第１実施の形態に係る変形例であり、後側スプリングと端子との接続部を示す断面図である。
【符号の説明】
【００７２】
１      レンズ駆動装置
３      ヨーク
５      ベース（筐体）
５ｃ    端子挿通部
７      レンズ支持体
９      前側スプリング
１１    後側スプリング（スプリング）
１３    マグネット
１５    コイル
２２    端子接続部
２４    端子接続部
２８    露出部
３０    一方側部
３２    他方側部
３３、３５    端子
【図１】
0004919422.tif 000002
【図２】
0004919422.tif 000003
【図３】
0004919422.tif 000004
【図４】
0004919422.tif 000005
【図５】
0004919422.tif 000006
【図６】
0004919422.tif 000007
【図７】
0004919422.tif 000008
【図８】
0004919422.tif 000009
【図９】
0004919422.tif 000010